(57)【要約】【課題】  ブラシのうち仕上げに用いる領域を広くして、ブラシによる仕上げを容易にすること。【解決手段】  塗布ブラシ部１６は、第１の領域１６ａと第２の領域１６ｂとに二分され、第１の領域１６ａに属するブラシ毛群１４は、放射方向の長さが一定のブラシ毛群１４ａで構成され、第２の領域に属するブラシ毛群１４は、第１の領域１６ａから芯線１２の長手方向に沿って離れるに従って、放射方向の長さが漸次短くなるブラシ毛群１４ｂで構成され、ブラシ毛群１４ａは、放射方向の長さがブラシ毛群１４ｂよりも相対的に長く形成されている。ブラシ１０を回転させながら上方へ移動すると、第１の領域１６ａに属する長いブラシ毛群１４ａにより、睫毛にマスカラを十分に塗布することができ、第２の領域１６ｂに属する短いブラシ毛群１４ｂにより、睫毛を整えることができる。【選択図】図１
2008149048.tif 000002
【特許請求の範囲】
【請求項１】
螺旋状に捩じられた芯線間にブラシ毛群が前記芯線に対して放射状に挟み込まれているとともに、前記放射状のブラシ毛群が前記芯線の長手方向に沿って分散して配置され、前記芯線の周囲に前記放射状のブラシ毛群の集合による塗布ブラシ部が形成されている化粧用ブラシにおいて、前記塗布ブラシ部は、前記芯線の長手方向における領域が第１の領域と第２の領域に分割され、前記第１の領域は、前記第２の領域に属するブラシ毛群よりも放射方向の長さが相対的に長いブラシ毛群で構成されてなることを特徴とする化粧用ブラシ。
【発明の詳細な説明】
【技術分野】
【０００１】
本発明は、化粧用ブラシに係り、特に、マスカラ塗布用ブラシとして用いることができる化粧用ブラシに関する。
【背景技術】
【０００２】
化粧用ブラシとしては、例えば、撚り合わされた２本の芯線（心）間に剛毛を挟み込んで剛毛を放射状に配置するとともに、剛毛を芯線の長手方向に沿って分散して配置し、芯線の長手方向における剛毛全体の外形形状を包絡線に沿った形状にするとともに、芯線の径方向における剛毛全体の外形形状を三角形、四角形等に形成したものが提案されている（特許文献１参照）。
【０００３】
【特許文献１】特許第２９６１３７０号公報
【発明の開示】
【発明が解決しようとする課題】
【０００４】
特許文献１に記載されているブラシは、剛毛の放射方向における長さ（径方向の長さ）がブラシの長手方向端部から先端に行くに従って漸次連続して短くなっているので、バルクをブラシに満たして睫毛等に塗布するときに、径の大きい部分（剛毛の長い部分）で睫毛全体にボリューム感を出し、径の小さい部分（剛毛の短い部分）で目尻、目頭、下睫毛などを仕上げることができる。
【０００５】
しかし、睫毛等の仕上げを行う場合、通常ブラシのうち径の細い部分を使用することが多い。このため、従来のブラシのように、剛毛の径が先端側に行くに従って直線的に漸次小さくなるような形状のものでは、先端部分のみがピンポイントで使用され、睫毛等の仕上げに用いるには十分ではない。
【０００６】
本発明は、前記従来技術の課題に鑑みて為されたものであり、その目的は、ブラシのうち仕上げに用いる領域を広くして、ブラシによる仕上げを容易にすることにある。
【課題を解決するための手段】
【０００７】
前記課題を解決するために、請求項１に係る化粧用ブラシは、螺旋状に捩じられた芯線間にブラシ毛群が前記芯線に対して放射状に挟み込まれているとともに、前記放射状のブラシ毛群が前記芯線の長手方向に沿って分散して配置され、前記芯線の周囲に前記放射状のブラシ毛群の集合による塗布ブラシ部が形成されている化粧用ブラシにおいて、前記塗布ブラシ部は、前記芯線の長手方向における領域が第１の領域と第２の領域に分割され、前記第１の領域は、前記第２の領域に属するブラシ毛群よりも放射方向の長さが相対的に長いブラシ毛群で構成されてなる。
【０００８】
（作用）塗布ブラシ部は、芯線の長手方向における領域が第１の領域と第２の領域に分割され、第１の領域は、第２の領域に属するブラシ毛群よりも放射方向の長さが相対的に長いブラシ毛群で構成され、第２の領域は、第１の領域に属するブラシ毛群よりも放射方向の長さが相対的に短いブラシ毛群で構成されているので、第１の領域に属する長いブラシ毛群にバルク（マスカラ）を満たして睫毛などに塗布することで、睫毛にボリューム感を出すことができ、第２の領域に属する短いブラシ毛群にバルク（マスカラ）を満たして睫毛などに塗布することで、睫毛、目尻、目頭などの仕上げを行うことができる。この際、塗布ブラシ部の芯線の長手方向における領域が、長いブラシ毛群による第１の領域と短いブラシ毛群による第２の領域とに分割されているので、仕上げに用いる第２の領域を、芯線の長手方向（軸方向）において広い範囲に亘って確保することができ、睫毛などの仕上げを容易に行うことができるとともに、長い幅に亘って使用することができる。
【発明の効果】
【０００９】
本発明によれば、睫毛などの仕上げを容易に行うことができるとともに、仕上げに用いる領域を長い幅に亘って使用することができる。
【発明を実施するための最良の形態】
【００１０】
以下、本発明の一実施例を図面に基づいて説明する。図１（ａ）は、本発明の第１実施例を示す化粧用ブラシの断面図、（ｂ）は、（ａ）に示す化粧用ブラシの左側面図、（ｃ）は、（ａ）に示す化粧用ブラシの右側面図、図２（ａ）は、本発明の第２実施例を示す化粧用ブラシの断面図、（ｂ）は、（ａ）に示す化粧用ブラシの左側面図、（ｃ）は、（ａ）に示す化粧用ブラシの右側面図、図３（ａ）は、本発明の第３実施例を示す化粧用ブラシの断面図、（ｂ）は、（ａ）に示す化粧用ブラシの左側面図、（ｃ）は、（ａ）に示す化粧用ブラシの右側面図、図４（ａ）は、本発明の第４実施例を示す化粧用ブラシの断面図、（ｂ）は、（ａ）に示す化粧用ブラシの左側面図、（ｃ）は、（ａ）に示す化粧用ブラシの右側面図、図５（ａ）は、本発明の第５実施例を示す化粧用ブラシの断面図、（ｂ）は、（ａ）に示す化粧用ブラシの左側面図、（ｃ）は、（ａ）に示す化粧用ブラシの右側面図、図６（ａ）は、本発明の第６実施例を示す化粧用ブラシの断面図、（ｂ）は、（ａ）に示す化粧用ブラシの左側面図、（ｃ）は、（ａ）に示す化粧用ブラシの右側面図である。
【００１１】
図１において、化粧用ブラシ１０は、螺旋状に捩じられた複数本の金属製芯線１２を備えており、芯線１２間には、ブラシ毛群１４が芯線１２に対して放射状に挟み込まれているとともに、放射状のブラシ毛群１４が芯線１２の長手方向に沿って分散して配置され、芯線１２の周囲に放射状のブラシ毛群１４の集合による塗布ブラシ部１６が形成されている。そして、塗布ブラシ部１６に隣接して、芯線１２の周囲に操作用の軸（図示せず）が摘みとして装着されるようになっている。
【００１２】
塗布ブラシ部１６は、その長手方向（軸方向）の領域が、略円柱形形状の第１の領域１６ａと、第１の領域１６ａよりも小径で、略円錐台形状の第２の領域１６ｂとに二分されている。第１の領域１６ａに属するブラシ毛群１４は、放射方向（径方向）の長さが一定のブラシ毛群１４ａで構成され、第２の領域に属するブラシ毛群１４は、第１の領域１６ａから芯線１２の長手方向（軸方向）に沿って離れるに従って、放射方向（径方向）の長さが漸次短くなるブラシ毛群１４ｂで構成されている。ブラシ毛群１４ａは、放射方向（径方向）の長さがブラシ毛群１４ｂよりも相対的に長く形成され、逆に、ブラシ毛群１４ｂは、放射方向（径方向）の長さがブラシ毛群１４ａよりも相対的に短く形成されている。
【００１３】
上記構成による化粧用ブラシ１０を操作用の軸に装着し、この軸を持って化粧用ブラシ１０を、化粧液（バルク）、例えば、マスカラが収納されている容器内に挿入すると、第１の領域１６ａに属する長いブラシ毛群１４ａと第２の領域に属する短いブラシ毛群１４ｂに多量のマスカラが付着される。
【００１４】
容器から化粧用ブラシ１０を取り出した後、操作用の軸を睫毛に沿って略平行に配置し、第１の領域１６ａに属する長いブラシ毛群１４ａを睫毛の下部側に配置した後、操作用の軸を回転させながら上方へ移動すると、第１の領域１６ａに属する長いブラシ毛群１４ａにより、睫毛にマスカラを十分に塗布することができ、睫毛にボリューム感を出すことができる。
【００１５】
次に、操作用の軸を睫毛に沿って略平行に配置し、第２の領域１６ｂに属する短いブラシ毛群１４ｂを睫毛の下部側に配置した後、操作用の軸を回転させながら上方へ移動すると、第２の領域１６ｂに属する短いブラシ毛群１４ｂにより、睫毛を整えることができる。この操作を数回繰り返すことで、睫毛全体にマスカラを十分に塗布することができるとともに、睫毛を整えることができる。
【００１６】
本実施例によれば、第１の領域１６ａに属する長いブラシ毛群１４ａにより、睫毛にマスカラを十分に塗布することで、睫毛にボリューム感を出すことができるとともに、第２の領域１６ｂに属する短いブラシ毛群１４ｂにより、睫毛を整えることができる。
【００１７】
また、本実施例によれば、第２の領域１６ｂに属する短いブラシ毛群１４ｂが芯線１２の長手方向（軸方向）において広い範囲に亘って確保されているので、睫毛の仕上げを容易に行うことができるとともに、睫毛の仕上げに用いる短いブラシ毛群１４ｂを長い幅に亘って使用することができる。
【００１８】
次に、本発明の第２実施例を図２に基づいて説明する。本実施例は、第２の領域１６ｂに属するブラシ毛群１４全体の外形形状を略円柱状に形成するとともに、第２の領域１６ｂに属するブラシ毛群１４を、放射方向（径方向）の長さが一定で、ブラシ毛群１４ａよりも放射方向（径方向）の長さが相対的に短いブラシ毛群１４ｃで構成したものであり、他の構成は第１実施例と同様である。
【００１９】
本実施例によれば、第１の領域１６ａに属する長いブラシ毛群１４ａにより、睫毛にマスカラを十分に塗布することで、睫毛にボリューム感を出すことができるとともに、第２の領域１６ｂに属する短いブラシ毛群１４ｃにより、睫毛を整えることができる。
【００２０】
また、本実施例によれば、第２の領域１６ｂに属する短いブラシ毛群１４ｃが芯線１２の長手方向（軸方向）において広い範囲に亘って確保されているので、睫毛の仕上げを容易に行うことができるとともに、睫毛の仕上げに用いる短いブラシ毛群１４ｃを長い幅に亘って使用することができる。
【００２１】
次に、本発明の第３実施例を図３に基づいて説明する。本実施例は、第１の領域１６ａに属するブラシ毛群１４全体の外形形状を略円錐状に形成するとともに、第１の領域１６ａに属するブラシ毛群１４を、放射方向（径方向）の長さが軸側から第２の領域１６ｂに行くに従って漸次短くなるブラシ毛群１４ｄで構成したものであり、他の構成は第１実施例と同様である。
【００２２】
本実施例によれば、第１の領域１６ａに属する長いブラシ毛群１４ｄにより、睫毛にマスカラを十分に塗布することで、睫毛にボリューム感を出すことができるとともに、第２の領域１６ｂに属する短いブラシ毛群１４ｂにより、睫毛を整えることができる。
【００２３】
また、本実施例によれば、第２の領域１６ｂに属する短いブラシ毛群１４ｂが芯線１２の長手方向（軸方向）において広い範囲に亘って確保されているので、睫毛の仕上げを容易に行うことができるとともに、睫毛の仕上げに用いる短いブラシ毛群１４ｂを長い幅に亘って使用することができる。
【００２４】
次に、本発明の第４実施例を図４に基づいて説明する。本実施例は、第１の領域１６ａに属するブラシ毛群１４全体の外形形状を略円錐状に形成するとともに、第１の領域１６ａに属するブラシ毛群１４を、放射方向（径方向）の長さが軸側から第２の領域１６ｂに行くに従って漸次短くなるブラシ毛群１４ｄで構成したものであり、他の構成は第２実施例と同様である。
【００２５】
本実施例によれば、第１の領域１６ａに属する長いブラシ毛群１４ｄにより、睫毛にマスカラを十分に塗布することで、睫毛にボリューム感を出すことができるとともに、第２の領域１６ｂに属する短いブラシ毛群１４ｃにより、睫毛を整えることができる。
【００２６】
また、本実施例によれば、第２の領域１６ｂに属する短いブラシ毛群１４ｃが芯線１２の長手方向（軸方向）において広い範囲に亘って確保されているので、睫毛の仕上げを容易に行うことができるとともに、睫毛の仕上げに用いる短いブラシ毛群１４ｃを長い幅に亘って使用することができる。
【００２７】
次に、本発明の第５実施例を図５に基づいて説明する。本実施例は、第１の領域１６ａに属するブラシ毛群１４全体の外形形状を略四角柱形状に形成するとともに、第１の領域１６ａに属するブラシ毛群１４を、放射方向（径方向）の長さが四角形の中心から辺までの長さで、ブラシ毛群１４ａよりも放射方向（径方向）の長さが相対的に短いブラシ毛群１４ｅで構成し、第２の領域１６ｂに属するブラシ毛群１４全体の外形形状を略円柱状に形成するとともに、第２の領域１６ｂに属するブラシ毛群１４を、放射方向（径方向）の長さが一定で、ブラシ毛群１４ｅよりも放射方向（径方向）の長さが相対的に短いブラシ毛群１４ｆで構成したものである。
【００２８】
上記構成による化粧用ブラシ１０を操作用の軸に装着し、この軸を持って化粧用ブラシ１０を、化粧液（バルク）、例えば、マスカラが収納されている容器内に挿入すると、第１の領域１６ａに属するブラシ毛群１４ｅと第２の領域１６ｂに属するブラシ毛群１４ｆに多量のマスカラが付着される。
【００２９】
容器から化粧用ブラシ１０を取り出した後、操作用の軸を睫毛に沿って略平行に配置し、第１の領域１６ａに属するブラシ毛群１４ｅであって四角形の一辺に属するブラシ毛群１４ｅを睫毛の下部側に配置した後、操作用の軸を回転させながら上方へ移動すると、第１の領域１６ａに属するブラシ毛群１４ｅにより、睫毛にマスカラを十分に塗布することができ、睫毛にボリューム感を出すことができる。
【００３０】
次に、操作用の軸を睫毛に沿って略平行に配置し、第２の領域１６ｂに属するブラシ毛群１４ｆを睫毛の下部側に配置した後、操作用の軸を回転させながら上方へ移動すると、第２の領域１６ｂに属するブラシ毛群１４ｆにより、睫毛を整えることができる。この操作を数回繰り返すことで、睫毛全体にマスカラを十分に塗布することができるとともに、睫毛を整えることができる。
【００３１】
本実施例によれば、第１の領域１６ａに属するブラシ毛群１４ｅにより、睫毛にマスカラを十分に塗布することで、睫毛にボリューム感を出すことができるとともに、第２の領域１６ｂに属するブラシ毛群１４ｆにより、睫毛を整えることができる。
【００３２】
また、本実施例によれば、第２の領域１６ｂに属するブラシ毛群１４ｆが芯線１２の長手方向（軸方向）において広い範囲に亘って確保されているので、睫毛の仕上げを容易に行うことができるとともに、睫毛の仕上げに用いるブラシ毛群１４ｆを長い幅に亘って使用することができる。
【００３３】
次に、本発明の第６実施例を図６に基づいて説明する。本実施例は、第１の領域１６ａに属するブラシ毛群１４全体の外形形状を略三角柱形状に形成するとともに、第１の領域１６ａに属するブラシ毛群１４を、放射方向（径方向）の長さが三角形の中心から辺までの長さで、ブラシ毛群１４ａよりも放射方向（径方向）の長さが相対的に短く、ブラシ毛群１４ｆよりも相対的に僅かに長いブラシ毛群１４ｇで構成したものであり、他の構成は第５実施例と同様である。
【００３４】
上記構成による化粧用ブラシ１０を操作用の軸に装着し、この軸を持って化粧用ブラシ１０を、化粧液（バルク）、例えば、マスカラが収納されている容器内に挿入すると、第１の領域１６ａに属するブラシ毛群１４ｇと第２の領域１６ｂに属するブラシ毛群１４ｆに多量のマスカラが付着される。
【００３５】
容器から化粧用ブラシ１０を取り出した後、操作用の軸を睫毛に沿って略平行に配置し、第１の領域１６ａに属するブラシ毛群１４ｇであって三角形の一辺に属するブラシ毛群１４ｇを睫毛の下部側に配置した後、操作用の軸を回転させながら上方へ移動すると、第１の領域１６ａに属するブラシ毛群１４ｇにより、睫毛にマスカラを十分に塗布することができ、睫毛にボリューム感を出すことができる。
【００３６】
次に、操作用の軸を睫毛に沿って略平行に配置し、第２の領域１６ｂに属するブラシ毛群１４ｆを睫毛の下部側に配置した後、操作用の軸を回転させながら上方へ移動すると、第２の領域１６ｂに属するブラシ毛群１４ｆにより、睫毛を整えることができる。この操作を数回繰り返すことで、睫毛全体にマスカラを十分に塗布することができるとともに、睫毛を整えることができる。
【００３７】
本実施例によれば、第１の領域１６ａに属するブラシ毛群１４ｇにより、睫毛にマスカラを十分に塗布することで、睫毛にボリューム感を出すことができるとともに、第２の領域１６ｂに属するブラシ毛群１４ｆにより、睫毛を整えることができる。
【００３８】
また、本実施例によれば、第２の領域１６ｂに属するブラシ毛群１４ｆが芯線１２の長手方向（軸方向）において広い範囲に亘って確保されているので、睫毛の仕上げを容易に行うことができるとともに、睫毛の仕上げに用いるブラシ毛群１４ｆを長い幅に亘って使用することができる。
【００３９】
前記各実施例においては、操作用の軸に隣接して、その軸側に第１の領域１６ａを設けるものについて述べたが、これとは逆に、操作用の軸に隣接して、その軸側に第２の領域１６ｂを設け、先端側に第１の領域１６ａを設けることもできる。
【００４０】
また、塗布ブラシ部１６の形状は前記各実施例に限定されるものではなく、他の形状のものにも本発明を適用することができる。
【図面の簡単な説明】
【００４１】
【図１】（ａ）は、本発明の第１実施例を示す化粧用ブラシの断面図、（ｂ）は、（ａ）に示す化粧用ブラシの左側面図、（ｃ）は、（ａ）に示す化粧用ブラシの右側面図である。
【図２】（ａ）は、本発明の第２実施例を示す化粧用ブラシの断面図、（ｂ）は、（ａ）に示す化粧用ブラシの左側面図、（ｃ）は、（ａ）に示す化粧用ブラシの右側面図である。
【図３】（ａ）は、本発明の第３実施例を示す化粧用ブラシの断面図、（ｂ）は、（ａ）に示す化粧用ブラシの左側面図、（ｃ）は、（ａ）に示す化粧用ブラシの右側面図である。
【図４】（ａ）は、本発明の第４実施例を示す化粧用ブラシの断面図、（ｂ）は、（ａ）に示す化粧用ブラシの左側面図、（ｃ）は、（ａ）に示す化粧用ブラシの右側面図である。
【図５】（ａ）は、本発明の第５実施例を示す化粧用ブラシの断面図、（ｂ）は、（ａ）に示す化粧用ブラシの左側面図、（ｃ）は、（ａ）に示す化粧用ブラシの右側面図である。
【図６】（ａ）は、本発明の第６実施例を示す化粧用ブラシの断面図、（ｂ）は、（ａ）に示す化粧用ブラシの左側面図、（ｃ）は、（ａ）に示す化粧用ブラシの右側面図である。
【符号の説明】
【００４２】
１０  化粧用ブラシ
１２  芯線
１４、１４ａ〜１４ｇ  ブラシ毛群
１６  塗布ブラシ部
１６ａ  第１の領域
１６ｂ  第２の領域
【図１】
2008149048.tif 000003
【図２】
2008149048.tif 000004
【図３】
2008149048.tif 000005
【図４】
2008149048.tif 000006
【図５】
2008149048.tif 000007
【図６】
2008149048.tif 000008